(57)【要約】【課題】参照装置の変更により発生する、受信した映像信号における映像や音声の乱れが記録されることを防止できる処理装置、同期制御システム、及びこれらの制御方法、並びにプログラムを提供する。【解決手段】表示装置２００は、同じネットワークグループの撮像装置１００からの映像信号を表示しレポート情報５００を撮像装置１００に送信する。表示装置２００はさらに、同じネットワークグループの参照装置のレポート情報５００であるセッティング情報６００を撮像装置１００から受信し、これに基づき映像信号に遅延量を付与し、映像信号の受信から表示されるまでの時間を遅延させる。但し、自機に記録媒体７００が接続される場合は、遅延量が付与された映像信号を記録媒体７００に記録する前に自機を上記ネットワークグループから離脱させる。【選択図】図７
2019201243.tif 000002
【特許請求の範囲】
【請求項１】
ネットワークを介して出力装置と接続し、前記出力装置から受信した映像信号に基づく所定の処理を自機が属する第１のネットワークグループの他の処理装置と同期して行うことが可能な処理装置であって、
前記映像信号に対して前記所定の処理を行う処理手段と、
前記映像信号の受信時刻及び前記処理手段が前記映像信号に対して前記所定の処理を行なった処理時刻の情報を含む第１情報を前記出力装置に送信する送信手段と、
前記第１のネットワークグループの参照装置における前記第１情報を第２情報として前記出力装置から受信する受信手段と、
前記第２情報に基づいて前記映像信号に遅延量を付与し、前記映像信号を受信してから前記所定の処理を行うまでの処理時間を遅延させる遅延手段と、
自機が記録機能を有するか否かを判定する判定手段と、
前記判定手段により前記記録機能を有すると判定された場合、前記遅延量が付与された前記映像信号を前記記録機能を用いて記憶する記録制御を実行する記録制御手段と、
前記判定手段により前記記録機能を有すると判定された場合、前記記録制御手段により前記記録制御が実行される前に、前記第１のネットワークグループから離脱する離脱手段とを備えることを特徴とする処理装置。
【請求項２】
前記離脱手段は、前記記録機能の動作を停止した後、自機の属するネットワークグループを前記第１のネットワークグループとは異なるネットワークグループとする要求を前記出力装置に対して行うことを特徴とする請求項１記載の処理装置。
【請求項３】
前記要求がある前に前記処理装置及び前記他の処理装置に前記出力装置から送信される前記第２情報には、前記第１のネットワークグループに属する旨を示す第１のグループ情報が含まれ、前記要求があった後は、前記出力装置から送信される前記第２情報のうち前記処理装置に送信する前記第２情報のみ、前記第１のグループ情報が前記異なるネットワークグループに属する旨を示す第２のグループ情報に変更されることを特徴とする請求項２記載の処理装置。
【請求項４】
前記要求を行う際、前記第１のグループ情報を記憶する第１の記憶手段を更に備え、
前記要求があった後に前記出力装置から送信された前記第２情報に前記第２のグループ情報が含まれる場合、前記記録機能の動作を開始することを特徴とする請求項３記載の処理装置。
【請求項５】
前記離脱手段は、前記遅延手段により前記映像信号に付与される遅延量を０に固定することを特徴とする請求項１記載の処理装置。
【請求項６】
前記離脱手段は、前記記録機能を用いた記録を開始するトリガの要求があった場合、前記出力装置が送信する前記第２情報の利用を停止し、前記記録機能を用いた記録を停止するトリガの要求があった場合、前記出力装置が送信する前記第２情報の利用を再開することを特徴とする請求項１記載の処理装置。
【請求項７】
前記付与された遅延量を記憶する第２の記憶手段を更に備え、
前記記録を開始するトリガの要求があった場合、前記第２の記憶手段で記憶された前記遅延量に前記映像信号に付与する遅延量を固定することを特徴とする請求項６記載の処理装置。
【請求項８】
前記記録機能を用いた前記映像信号の記録の開始時点及び停止時点において、動作情報を前記出力装置に送信することを特徴とする請求項６又は７記載の処理装置。
【請求項９】
映像信号を送信する出力装置と、前記映像信号に基づく所定の処理を同期して行う第１のネットワークグループに属する複数の処理装置とをネットワークを介して接続する同期制御システムであって、
前記複数の処理装置は夫々、
前記映像信号に対して前記所定の処理を行う処理手段と、
前記映像信号の受信時刻及び前記処理手段が前記映像信号に対して前記所定の処理を行なった処理時刻の情報を含む第１情報を送信する第１送信手段とを備え、
前記出力装置は、
前記第１送信手段により前記複数の処理装置の夫々から送信された前記第１情報のうち、前記第１のネットワークグループの参照装置における前記第１情報を第２情報として前記複数の処理装置の夫々に送信する第２送信手段を備え、
前記複数の処理装置はさらに夫々、
前記第２送信手段により前記出力装置から送信された第２情報に基づいて前記映像信号に遅延量を付与し、前記映像信号を受信してから前記所定の処理を行うまでの処理時間を遅延させる遅延手段と、
自機が記録機能を有するか否かを判定する判定手段と、
前記判定手段により前記記録機能を有すると判定された場合、前記遅延量が付与された前記映像信号を前記記録機能を用いて記憶する記録制御を実行する記録制御手段と、
前記判定手段により前記記録機能を有すると判定された場合、前記記録制御手段により前記記録制御が実行される前に、前記第１のネットワークグループから離脱する離脱手段とを備えることを特徴とする同期制御システム。
【請求項１０】
ネットワークを介して出力装置と接続し、前記出力装置から受信した映像信号に基づく所定の処理を自機が属する第１のネットワークグループの他の処理装置と同期して行うことが可能な処理装置の制御方法であって、
前記映像信号に対して前記所定の処理を行う処理ステップと、
前記映像信号の受信時刻及び前記処理ステップにおいて前記映像信号に対して前記所定の処理が行なわれた処理時刻の情報を含む第１情報を前記出力装置に送信する送信ステップと、
前記第１のネットワークグループの参照装置における前記第１情報を第２情報として前記出力装置から受信する受信ステップと、
前記第２情報に基づいて前記映像信号に遅延量を付与し、前記映像信号を受信してから前記所定の処理を行うまでの処理時間を遅延させる遅延ステップと、
自機が記録機能を有するか否かを判定する判定ステップと、
前記判定ステップにおいて前記記録機能を有すると判定された場合、前記遅延量が付与された前記映像信号を前記記録機能を用いて記憶する記録制御を実行する記録制御ステップと、
前記判定ステップにおいて前記記録機能を有すると判定された場合、前記記録制御ステップにおいて前記記録制御が実行される前に、前記第１のネットワークグループから離脱する離脱ステップとを有することを特徴とする制御方法。
【請求項１１】
映像信号を送信する出力装置と、前記映像信号に基づく所定の処理を同期して行う第１のネットワークグループに属する複数の処理装置とをネットワークを介して接続する同期制御システムの制御方法であって、
前記複数の処理装置の夫々において、
前記映像信号に対して前記所定の処理を行う処理ステップと、
前記映像信号の受信時刻及び前記処理ステップが前記映像信号に対して前記所定の処理を行なった処理時刻の情報を含む第１情報を送信する第１送信ステップとを有し、
前記出力装置において、
前記第１送信ステップにおいて前記複数の処理装置の夫々から送信された前記第１情報のうち、前記第１のネットワークグループの参照装置における前記第１情報を第２情報として前記複数の処理装置の夫々に送信する第２送信ステップを有し、
前記複数の処理装置の夫々においてさらに、
前記第２送信ステップにおいて前記出力装置から送信された第２情報に基づいて前記映像信号に遅延量を付与し、前記映像信号を受信してから前記所定の処理を行うまでの処理時間を遅延させる遅延ステップと、
自機が記録機能を有するか否かを判定する判定ステップと、
前記判定ステップにおいて前記記録機能を有すると判定された場合、前記遅延量が付与された前記映像信号を前記記録機能を用いて記憶する記録制御を実行する記録制御ステップと、
前記判定ステップにおいて前記記録機能を有すると判定された場合、前記記録制御ステップにおいて前記記録制御が実行される前に、前記第１のネットワークグループから離脱する離脱ステップとを有することを特徴とする制御方法。
【請求項１２】
請求項１０又は１１に係る制御方法を実行することを特徴とするプログラム。
【発明の詳細な説明】
【技術分野】
【０００１】
本発明は、ネットワークを介して映像信号を受信する処理装置、同期制御システム、及びこれらの制御方法、並びにプログラムに関する。
【背景技術】
【０００２】
映像信号をＩｎｔｅｒｎｅｔ  Ｐｒｏｔｏｃｏｌ（以降はＩＰと記載する）に変換して、Ｌｏｃａｌ  Ａｒｅａ  Ｎｅｔｗｏｒｋ（以降はＬＡＮと記載する）ケーブル経由で送受信する技術は、設備の拡張性等の利便性から、今後普及することが想定される。ＩＰで伝送された映像信号を処理する受信装置は、例えば、映像信号を用いて画像を表示する表示装置や、映像信号を記録媒体に記録する記録装置である。また、同一の出力装置から出力された映像信号を、複数の受信装置で受信して処理することが可能である。
【０００３】
特許文献１では、中継装置から複数の端末に画像、音声データを出力し、各端末が取得した画像、音声データ等のコンテンツデータを再生する伝送システムが開示されている。この伝送システムでは、中継装置が各端末と間の伝送の遅延時間を取得し、各端末にコンテンツデータを受信してから再生させるまでに待機する待機時間を設定する。これにより、送信されたコンテンツデータが複数の端末にて再生されるタイミングのばらつきを抑え、同期して再生することができる。
【０００４】
また、特許文献１の伝送システムでは、一部の端末（処理装置）が伝送システムから退出した場合に、再度、残りの端末の遅延時間に基づいて待機時間を設定し直すことがある。退出前の端末のうち最も伝送遅延が大きい端末（参照装置）の再生タイミングに合わせるように他の端末の待機時間を設定していた場合、参照装置が伝送システムから退出したことに応じて、伝送システムの参照装置を新たに設定する。これにより、各端末の待機時間は、新たに設定された参照装置の再生タイミングに合わせて再設定される。
【先行技術文献】
【特許文献】
【０００５】
【特許文献１】特開２０１７−０４１６９６号公報
【発明の概要】
【発明が解決しようとする課題】
【０００６】
しかしながら、特許文献１のシステムでは、遅延時間が再設定された場合、再生されるタイミングが変わり映像信号を受信している処理装置が再生する映像や音声に乱れが生じることがあった。処理装置が受信した映像信号を記録することが可能な装置である場合、このような映像や音声の乱れが記録されてしまうことがある。
【０００７】
本発明の目的は、参照装置の変更により生じる、受信した映像信号における映像や音声の乱れが記録されることを防止できる処理装置、同期制御システム、及びこれらの制御方法、並びにプログラムを提供することにある。
【課題を解決するための手段】
【０００８】
本発明の請求項１に係る処理装置は、ネットワークを介して出力装置と接続し、前記出力装置から受信した映像信号に基づく所定の処理を自機が属する第１のネットワークグループの他の処理装置と同期して行うことが可能な処理装置であって、前記映像信号に対して前記所定の処理を行う処理手段と、前記映像信号の受信時刻及び前記処理手段が前記映像信号に対して前記所定の処理を行なった処理時刻の情報を含む第１情報を前記出力装置に送信する送信手段と、前記第１のネットワークグループの参照装置における前記第１情報を第２情報として前記出力装置から受信する受信手段と、前記第２情報に基づいて前記映像信号に遅延量を付与し、前記映像信号を受信してから前記所定の処理を行うまでの処理時間を遅延させる遅延手段と、自機が記録機能を有するか否かを判定する判定手段と、前記判定手段により前記記録機能を有すると判定された場合、前記遅延量が付与された前記映像信号を前記記録機能を用いて記憶する記録制御を実行する記録制御手段と、前記判定手段により前記記録機能を有すると判定された場合、前記記録制御手段により前記記録制御が実行される前に、前記第１のネットワークグループから離脱する離脱手段とを備えることを特徴とする。
【０００９】
本発明の請求項９に係る同期制御システムは、映像信号を送信する出力装置と、前記映像信号に基づく所定の処理を同期して行う第１のネットワークグループに属する複数の処理装置とをネットワークを介して接続する同期制御システムであって、前記複数の処理装置は夫々、前記映像信号に対して前記所定の処理を行う処理手段と、前記映像信号の受信時刻及び前記処理手段が前記映像信号に対して前記所定の処理を行なった処理時刻の情報を含む第１情報を送信する第１送信手段とを備え、前記出力装置は、前記第１送信手段により前記複数の処理装置の夫々から送信された前記第１情報のうち、前記第１のネットワークグループの参照装置における前記第１情報を第２情報として前記複数の処理装置の夫々に送信する第２送信手段を備え、前記複数の処理装置はさらに夫々、前記第２送信手段により前記出力装置から送信された第２情報に基づいて前記映像信号に遅延量を付与し、前記映像信号を受信してから前記所定の処理を行うまでの処理時間を遅延させる遅延手段と、自機が記録機能を有するか否かを判定する判定手段と、前記判定手段により前記記録機能を有すると判定された場合、前記遅延量が付与された前記映像信号を前記記録機能を用いて記憶する記録制御を実行する記録制御手段と、前記判定手段により前記記録機能を有すると判定された場合、前記記録制御手段により前記記録制御が実行される前に、前記第１のネットワークグループから離脱する離脱手段とを備えることを特徴とする。
【発明の効果】
【００１０】
本発明によれば、参照装置の変更により発生する、受信した映像信号における映像や音声の乱れが記録されることを防止できる。
【図面の簡単な説明】
【００１１】
【図１】本発明の第１の実施形態における出力装置としての撮像装置、及び処理装置としての複数の表示装置とからなる、同期制御システムとしての送受信システムの構成図である。
【図２】図１における撮像装置が出力するＩＰ化した映像信号のデータ形式を示す模式図である。
【図３】図１の送受信システムで用いられるレポート情報及びセッティング情報のデータ形式を示す模式図である。
【図４】図１の送受信システムにおける従来の映像表示同期処理の手順を示すシーケンス図である。
【図５】図１における撮像装置の機能ブロックを示すブロック図である。
【図６】図１における表示装置の機能ブロックを示すブロック図である。
【図７】図６の表示装置で実行される、本発明の第１の実施形態の映像乱れ回避処理の手順を示すフローチャートである。
【図８】図６の表示装置で実行される、本発明の第２の実施形態の映像乱れ回避処理の手順を示すフローチャートである。
【発明を実施するための形態】
【００１２】
以下、添付の図面を参照して本発明の好適な実施形態について説明する。
【００１３】
＜第１の実施形態＞
図１は、第１の実施形態における出力装置（撮像装置１００）と複数の処理装置（表示装置２００ａ〜２００ｃ、以下、これらを総称する場合は表示装置２００という。）とからなる送受信システム（同期制御システム）の構成を示す模式図である。撮像装置１００と表示装置２００ａ〜２００ｃとの間はＩＰネットワーク４００を介して接続される。
【００１４】
撮像装置１００と表示装置２００ａ〜２００ｃとは、それぞれＬＡＮケーブル３００ａ〜３００ｄ（以下、これらを総称する場合はＬＡＮケーブル３００という。）と接続し、ＬＡＮケーブル３００ａ〜３００ｄを介して、ＩＰネットワーク４００と接続する。撮像装置１００と表示装置２００ａ〜２００ｃとは、ＬＡＮケーブル３００ａ〜３００ｄとＩＰネットワーク４００とを介して、ＲＴＰパケット化された映像信号の送受信を行う。
【００１５】
図１に示す送受信システムでは、ＲＦＣ７２７２（ｈｔｔｐｓ：／／ｔｏｏｌｓ．ｉｅｔｆ．ｏｒｇ／ｈｔｍｌ／ｒｆｃ７２７２）に開示されている方法を用いて、表示装置２００ａ〜２００ｃにおける処理の同期が行われる。同期の方法については、後述する。
【００１６】
撮像装置１００は、被写体を撮像して得られた映像信号をＩＰ化して、ＩＰネットワーク４００を介して各表示装置２００ａ〜２００ｃに送信する送信装置である。このＩＰ化の方法としては、例えば、ＲＦＣ４１７５（ｈｔｔｐｓ：／／ｔｏｏｌｓ．ｉｅｔｆ．ｏｒｇ／ｒｆｃ／ｒｆｃ４１７５．ｔｘｔ）に記載される、Ｒｅａｌ  Ｔｒａｎｓｐｏｒｔ  Ｐｒｏｔｏｃｏｌ（ＲＴＰ）パケットに変換する手段が用いられる。また、撮像装置１００は、複数の表示装置２００ａ〜２００ｃが、互いに同期して表示処理を実行可能なように、表示処理のタイミングを示す情報（ＩＤＭＳ  Ｓｅｔｔｉｎｇｓ  Ｐａｃｋｅｔ、セッティング情報）を出力する。セッティング情報の詳細については後述する。
【００１７】
表示装置２００ａ〜２００ｃは、ＩＰネットワーク４００を介して映像信号を受信する受信装置である。また、表示装置２００ａ〜２００ｃは、受信した映像信号に基づいて画像を表示する表示部を備える表示装置である。また、表示装置２００ａ〜２００ｃは、記録機能を有する場合、具体的には、内部に記憶媒体が格納される場合や、外部に記憶装置が接続される場合に、受信した映像信号を記録する記録制御を実行可能な記録制御装置でもある。さらに、表示装置２００ａ〜２００ｃは、映像信号の受信時刻とその映像信号に基づいて画像が表示された時刻と自機が所属するネットワークグループを示すＩＤ情報とを示す情報（レポート情報）を出力する。具体的には、ＲＴＣＰ  ＸＲ  ＩＤＭＳ  Ｒｅｐｏｒｔ  Ｂｌｏｃｋがレポート情報として出力される。レポート情報の詳細は後述する。
【００１８】
図２は、撮像装置１００が出力するＩＰ化（ＲＴＰパケット化）した映像信号のデータ形式を示す模式図である。ＲＴＰパケットは、ＩＰヘッダー４０１、Ｕｓｅｒ  Ｄａｔａｇｒａｍ  Ｐｒｏｔｏｃｏｌ（以降はＵＤＰと記載する）ヘッダー４０２、ＲＴＰヘッダー４０３、及びＲＴＰペイロード４０４で構成される。このうち映像信号はＲＴＰペイロード４０４に格納される。
【００１９】
図３は、図１の送受信システムで用いられるレポート情報およびセッティング情報のデータ形式を示す模式図である。
【００２０】
図３（ａ）は、表示装置２００から送信されるレポート情報５００のデータ形式の一部を示す模式図である。
【００２１】
レポート情報５００は、グループＩＤ情報５０１、受信時刻情報５０２、対象信号情報５０３、および処理時刻情報５０４を含む。
【００２２】
グループＩＤ情報５０１は同期に関する情報を示すＭｅｄｉａ  Ｓｔｒｅａｍ  Ｃｏｒｒｅｌａｔｉｏｎ  Ｉｄｅｎｔｉｆｉｅｒである。グループＩＤ情報５０１には、映像表示同期を行うネットワークグループを示すＳｙｎｃｈｒｏｎｉｚａｔｉｏｎ  Ｇｒｏｕｐ  Ｉｄｅｎｔｉｆｉｅｒ（グループ情報）が含まれる。以降、Ｓｙｎｃｈｒｏｎｉｚａｔｉｏｎ  Ｇｒｏｕｐ  Ｉｄｅｎｔｉｆｉｅｒを同期グループＩＤと記載する。図１の送受信システムにおいては、表示装置２００ａ〜２００ｃは、表示処理を同期するため、夫々の同期グループＩＤは同一の値となる。
【００２３】
対象信号情報５０３は、レポート情報５００が対象とする映像信号（ＲＴＰパケット）を特定するための情報である。具体的には対象信号情報５０３は、ＲＦＣ４１７５に記載のＲＴＰ  Ｈｅａｄｅｒのｔｉｍｅｓｔａｍｐ（Ｐａｃｋｅｔ  Ｒｅｃｅｉｖｅｄ  ＲＴＰ  ｔｉｍｅｓｔａｍｐ）である。
【００２４】
受信時刻情報５０２は、表示装置２００が対象信号情報５０３で特定されるＲＴＰパケットを受信した時刻を示す情報である。具体的には受信時刻情報５０２は、ＲＦＣ７２７２で定義されるＰａｃｋｅｔ  Ｒｅｃｅｉｖｅｄ  ＮＴＰ  ｔｉｍｅｓｔａｍｐである。
【００２５】
処理時刻情報５０４は、表示装置２００が対象信号情報５０３で特定されるＲＴＰパケットに基づいて、画像を表示した時刻を示す情報である。具体的には処理時刻情報５０４は、ＲＦＣ７２７２で定義されるＰａｃｋｅｔ  Ｐｒｅｓｅｎｔｅｄ  ＮＴＰ  ｔｉｍｅｓｔａｍｐである。
【００２６】
図３（ｂ）は、撮像装置１００から出力されるセッティング情報６００のデータ形式の一部を示す模式図である。セッティング情報６００は、グループＩＤ情報６０１、受信時刻情報６０２、対象信号情報６０３、および処理時刻情報６０４を含む。撮像装置１００が出力するセッティング情報は、撮像装置１００が取得した各表示装置２００ａ〜２００ｃからのレポート情報５００のうち、撮像装置１００が参照装置として決定した表示装置から受信したレポート情報５００である。したがって、セッティング情報６００のグループＩＤ情報６０１、受信時刻情報６０２、対象信号情報６０３、および処理時刻情報６０４の詳細は、レポート情報５００の同名の情報と同様であるので説明を省略する。
【００２７】
図４は、撮像装置１００と表示装置２００ａ〜２００ｃとで構成される送受信システムにおける従来の同期制御処理の手順を示すシーケンス図である。
【００２８】
撮像装置１００と表示装置２００ａ〜２００ｃとの間の接続がＩＰネットワーク４００を介して確立する（ステップＳ４００ａ〜Ｓ４００ｃ）。
【００２９】
各表示装置２００ａ〜２００ｃは、表示処理の同期をとるためのネットワークグループを示す同期グループＩＤを決定する（ステップＳ４０１ａ〜Ｓ４０１ｃ）。各表示装置２００ａ〜２００ｃが参加するネットワークグループは、各表示装置２００ａ〜２００ｃに対して予め設定されている情報に基づいて、各表示装置２００ａ〜２００ｃが決定する。なお、ステップＳ４００ａ〜Ｓ４００ｃの接続の確立と、ステップＳ４０１ａ〜Ｓ４０１ｃの同期グループＩＤの決定は、順序が前後してもよい。
【００３０】
各表示装置２００ａ〜２００ｃは、撮像装置１００に対して、それぞれ任意の映像信号に対するレポート情報５００を生成し、撮像装置１００に出力する（ステップＳ４０２ａ〜Ｓ４０２ｃ）。以下、各表示装置２００ａ〜２００ｃからのレポート情報５００を、レポート情報５００ａ〜５００ｃとも記載する。
【００３１】
撮像装置１００は、各表示装置２００ａ〜２００ｃから出力されたレポート情報５００ａ〜５００ｃを受信する。その後、その受信したレポート情報５００ａ〜５００ｃに基づき、表示装置２００ａ〜２００ｃのいずれかを参照装置として決定する（ステップＳ４０３）。
【００３２】
撮像装置１００は、参照装置として決定した表示装置から受信したレポート情報５００を、セッティング情報６００として、表示装置２００ａ〜２００ｃに出力する（ステップＳ４０４ａ〜Ｓ４０４ｃ）。
【００３３】
各表示装置２００ａ〜２００ｃは、受信したセッティング情報６００に記載された受信時刻情報６０２と、処理時刻情報６０４とに基づいて、各表示装置２００ａ〜２００ｃにおける表示処理の処理時間を調整する（ステップＳ４０５ａ〜Ｓ４０５ｃ）。具体的には、各表示装置２００ａ〜２００ｃは、受信したセッティング情報６００に記載された処理時刻情報６０４で示される処理時刻Ｔａと、受信したセッティング情報６００の対象とする映像信号を自機が処理した処理時刻Ｔｂとの差を算出する。そして、その算出された差から、参照装置と処理を同期するために処理時刻を遅延するための調整量（遅延量）を取得する。各表示装置２００ａ〜２００ｃは、取得した遅延量が処理時間に加算されるように表示処理を制御する。
【００３４】
以上の処理により、表示装置２００ａ〜２００ｃ間で、撮像装置１００から出力された映像信号が同期して表示される。
【００３５】
なお、各表示装置２００ａ〜２００ｃからのレポート情報５００の送信は、一定周期で行われる。レポート情報の送信は、所定の期間内に少なくとも１回以上実行されるように、各表示装置２００ａ〜２００ｃで制御されてもよい。また、撮像装置１００は、各表示装置２００ａ〜２００ｃの夫々からレポート情報５００を所定回数以上受信したことに応じて、セッティング情報を出力する。これにより、周期的、または断続的に同期制御が実行され、各表示装置２００ａ〜２００ｃへの伝送時間や処理時間が変動した場合でも、同期を継続することが可能となる。
【００３６】
図５は、撮像装置１００の機能ブロックを示すブロック図である。撮像装置１００は、撮像部１０１、パケット生成部１０２、通信部１０３、参照装置決定部１０４、情報生成部１０５、制御部１０６、および記憶部１０７を備える。
【００３７】
撮像部１０１は、被写体を撮影して映像信号を取得する。撮像部１０１は、光学像が入力されるレンズ、レンズを制御するレンズ制御システム、レンズに入力された光学像から画像データを生成する撮像センサを含む。また、撮像部１０１は、撮像センサが出力した映像信号に対して、所定の画像処理を行う画像処理部を備えていてもよい。撮像部１０１は、取得した映像信号をパケット生成部１０２に出力する。
【００３８】
パケット生成部１０２は、撮像部１０１から送出された映像信号をＩＰ化、より具体的には、ＲＴＰパケット化する。パケット生成部１０２は、ＲＴＰパケット化された映像信号を、通信部１０３に出力する。パケット生成部１０２は、図２で示したようなデータ形式に映像信号をＲＴＰパケット化する。
【００３９】
通信部１０３は、ＬＡＮケーブル３００ｄに接続し、ＩＰネットワーク４００を介して信号を送受信するための通信インターフェースである。通信部１０３は、パケット生成部１０２から受信したＲＴＰパケット化された映像信号を、ＩＰネットワーク４００を介して、各表示装置２００ａ〜２００ｃに出力する。この時、通信部１０３は、送信したＲＴＰパケット化された映像信号を特定するための情報と当該映像信号を送信した時刻とを関連付けた送信時刻情報を、記憶部１０７に格納する。ここで、送信したＲＴＰパケット化された映像信号を特定するための情報は、ＲＦＣ４１７５に記載のＲＴＰ  Ｈｅａｄｅｒのｔｉｍｅｓｔａｍｐ（Ｐａｃｋｅｔ  Ｒｅｃｅｉｖｅｄ  ＲＴＰ  ｔｉｍｅｓｔａｍｐ）である。
【００４０】
また、通信部１０３は、ＩＰネットワーク４００を介して、各表示装置２００ａ〜２００ｃからレポート情報５００ａ〜５００ｃを取得し、レポート情報５００ａ〜５００ｃを参照装置決定部１０４および情報生成部１０５に出力する。通信部１０３は、ＩＰネットワーク４００を介して、各表示装置２００ａ〜２００ｃに、情報生成部１０５から取得したセッティング情報６００を出力する。
【００４１】
参照装置決定部１０４は、同一のネットワークグループに含まれる各表示装置２００ａ〜２００ｃから受信したレポート情報５００に基づいて、表示装置２００ａ〜２００ｃの１つを参照装置に決定する。参照装置決定部１０４は、受信したレポート情報５００の対象信号情報５０３が示す映像信号に対応する送信時刻を記憶部１０７から取得する。次に、参照装置決定部１０４は、取得した送信時刻と受信したレポート情報５００の処理時刻情報５０４が示す処理時刻（表示時刻）との差分を算出する。すなわち、参照装置決定部１０４は、映像信号が撮像装置１００から送信されてからレポート情報５００を送信した表示装置２００で表示されるまでの時間（遅延量）を算出する。参照装置決定部１０４は、表示装置２００ａ〜２００ｃのうち、この算出された遅延量が最も大きい表示装置を参照装置として決定し、その決定された参照装置を情報生成部１０５に通知する。
【００４２】
情報生成部１０５は、参照装置決定部１０４で決定された参照装置から受信したレポート情報５００に基づいてセッティング情報６００を生成する。情報生成部１０５は、参照装置から受信したレポート情報５００をセッティング情報６００として、通信部１０３に出力する。なお、情報生成部１０５は、レポート情報５００を受信する毎に、そのレポート情報の同期グループＩＤとしてＥｍｐｔｙが記載されているか否かを判断する。情報生成部１０５は、Ｅｍｐｔｙが記載されていると判断した場合、当該レポート情報５００を送信した表示装置２００に対してＥｍｐｔｙでない任意のネットワークグループを示す同期グループＩＤを付加したセッティング情報６００を生成する。
【００４３】
制御部１０６は、不図示のバスを介して撮像装置１００の各機能ブロックに接続し、その動作を制御するプロセッサである。制御部１０６は、Ｃｅｎｔｒａｌ  Ｐｒｏｃｅｓｓｉｎｇ  Ｕｎｉｔ（ＣＰＵ）である。制御部１０６は、記憶部１０７からプログラムやパラメータを読み出して実行することにより、撮像装置１００の各機能ブロックの動作を制御する。また、制御部１０６は、撮像装置１００の各機能ブロックの一部もしくはすべての動作をプログラムを実行することによって実現してもよい。
【００４４】
記憶部１０７は、撮像装置１００の動作のためのプログラム、パラメータ、およびデータを記憶する記憶媒体である。記憶部１０７は、例えば、不揮発性の記憶媒体である。なお、記憶部１０７は、揮発性の記憶媒体および不揮発性の記憶媒体を複合して用いるものであってもよい。
【００４５】
図６は、表示装置２００の機能ブロックを示すブロック図である。表示装置２００は、通信部２０１、ジッタ吸収部２０２、復号部２０３、遅延処理部２０４、信号処理部２０５、表示部２０６、記録制御部２０７、処理時間取得部２０８、受信時刻取得部２０９、及び表示時刻取得部２１０を備える。表示装置２００はさらに、レポート生成部２１１、セッティング取得部２１２、参照装置判定部２１３、遅延量算出部２１４、操作部２１５、制御部２１６、および記憶部２１７を備える。
【００４６】
通信部２０１は、ＬＡＮケーブル３００に接続し、ＩＰネットワーク４００を介して信号を送受信するための通信インターフェースである。通信部２０１は、受信したＲＴＰパケット化された映像信号をジッタ吸収部２０２に出力する。この時、通信部２０１は、ＲＴＰパケット化された映像信号を受信した受信時刻と、対応するＲＴＰパケット化された映像信号を特定する情報とを、受信時刻取得部２０９に出力する。
【００４７】
通信部２０１は、レポート生成部２１１から取得したレポート情報５００を、ＩＰネットワーク４００を介して撮像装置１００に出力する。また、通信部２０１は、ＩＰネットワーク４００を介して、撮像装置１００からセッティング情報６００を取得し、セッティング情報６００をセッティング取得部２１２に出力する。
【００４８】
ジッタ吸収部２０２は、ＬＡＮケーブル３００と、接続するＩＰネットワーク４００の通信ジッタにより生じるＲＴＰパケットの受信時のジッタを伝搬させないようにするためのジッタ吸収バッファである。
【００４９】
復号部２０３は、ＲＴＰパケット化された映像信号を復号する。
【００５０】
遅延処理部２０４は、メモリを備え、復号部２０３で復元された映像信号をメモリに一時的に蓄え、映像信号に遅延量を付与することで、映像信号を受信してから表示部２０６で画像を表示するまでの処理時間を遅延させる。これにより、表示部２０６における画像表示のタイミングを調整して、他の表示装置の表示と同期させることが可能となる。尚、遅延量は、後述する遅延量算出部２１４から取得する。
【００５１】
信号処理部２０５は、遅延処理部２０４により遅延量が付与された映像信号に対して、補正などの信号処理を行う。信号処理部２０５は、信号処理を施した映像信号を表示部２０６および記録制御部２０７に出力する。
【００５２】
表示部２０６は、取得した映像信号に基づいて画像を表示する表示装置である。例えば、表示部２０６は、有機ＥＬディスプレイモジュールである。表示部２０６は、外部の表示装置に映像信号を出力して、表示デバイスに画像を表示させる映像出力端子であってもよい。表示部２０６は、ＲＴＰパケット化された映像信号に基づいて画像を表示した（表示処理を実行した）表示時刻と対応するＲＴＰパケット化された映像信号を特定する情報とを表示時刻取得部２１０に出力する。
【００５３】
記録制御部２０７は、記録媒体７００と接続し、信号処理部２０５から入力された映像信号を接続した記録媒体７００に記録する記録制御を実行するための制御回路である。記録制御部２０７は、記録制御を実行可能であるか否かを判定し、その判定結果に関する情報を制御部２１６および記憶部２１７に出力する。記録媒体７００は、表示装置２００の外部に設けられたハードディスクやレコーダ等の記録装置である。なお、記録媒体７００は、表示装置２００に内蔵可能なメモリカードやハードディスク等の記録媒体であってもよい。
【００５４】
記録制御部２０７は、記録制御部２０７が記録媒体７００と接続している場合に、記録制御を実行可能であると判定する。また、記録制御部２０７は、操作部２１５を介して入力されたユーザからの指示に基づいて、映像信号の記録動作を可能とする記録可能モードと、映像信号の記録動作を不可とする記録不能モードとを含む複数の記録制御モードを設定することも可能である。この場合、記録制御部２０７は、記録可能モードが設定されている場合に、記録制御を実行可能であると判定する。
【００５５】
また、記録制御部２０７は、操作部２１５を介して記録準備指示が入力された場合に、記録準備状態に移行する。さらに、記録制御部２０７が記録準備状態である場合に、操作部２１５を介して記録開始指示が入力されたことに応じて、記録媒体７００への記録動作を実行する。この場合、記録制御部２０７は、記録準備状態になったことに応じて、記録制御を実行可能であると判定する。
【００５６】
ここで、自機が記録制御を実行可能である状態を、「記録機能あり」と示す。即ち、記録制御部２０７は、自機が記録機能ありであるか否かを判定するといえる。
【００５７】
処理時間取得部２０８は、ジッタ吸収部２０２と、復号部２０３と、信号処理部２０５とにおける各処理時間を取得し、取得した各処理時間を遅延量算出部２１４に通知する。
【００５８】
受信時刻取得部２０９は、ＲＴＰパケット化された映像信号を受信した受信時刻と対応するＲＴＰパケット化された映像信号を特定する情報とを取得して、図６において不図示の信号線を介して記憶部２１７に格納する。
【００５９】
表示時刻取得部２１０は、ＲＴＰパケット化された映像信号に基づいて画像を表示した（表示処理を実行した）表示時刻と対応するＲＴＰパケット化された映像信号を特定する情報とを取得して、記憶部２１７に格納する。
【００６０】
レポート生成部２１１は、図６において不図示の信号線を介して記憶部２１７から、対象とするＲＴＰパケット化された映像信号を示す情報（ＲＴＰ  ｔｉｍｅｓｔａｍｐ）と、対応する受信時刻および表示時刻を読み出す。また、レポート生成部２１１は、予め設定されたネットワークグループの同期グループＩＤを記憶部２１７から読み出す。レポート生成部２１１は、対象とするＲＴＰパケット化された映像信号を示す情報（ＲＴＰ  ｔｉｍｅｓｔａｍｐ）と、対応する受信時刻および表示時刻と、読み出した同期グループＩＤとに基づいて、レポート情報５００を生成する。レポート生成部２１１は、レポート情報５００を通信部２０１に出力する。通信部２０１は、レポート情報５００を、ＩＰネットワーク４００を介して撮像装置１００に出力する。また、レポート生成部２１１は、記憶部２１７に出力したレポート情報５００を格納する。
【００６１】
セッティング取得部２１２は、通信部２０１を介して、撮像装置１００が送信するセッティング情報６００を取得する。セッティング取得部２１２は、セッティング情報を参照装置判定部２１３と遅延量算出部２１４とに出力する。
【００６２】
参照装置判定部２１３は、受信したセッティング情報６００と、記憶部２１７に記憶された送信済みのレポート情報５００とを比較する。受信したセッティング情報６００に一致する送信済みのレポート情報５００が存在する場合、表示装置２００がネットワークグループにおける参照装置であると判定する。参照装置判定部２１３は、判定結果を記憶部２１７に格納すると共に遅延量算出部２１４に通知する。
【００６３】
遅延量算出部２１４は、遅延処理部２０４で映像信号に付与する遅延量を決定する。遅延量算出部２１４は、参照装置判定部２１３が、表示装置２００がネットワークグループにおける参照装置であると判定した場合、遅延量を０とする。遅延処理部２０４で付与する遅延量を決定する。遅延量算出部２１４は、参照装置判定部２１３が、表示装置２００がネットワークグループにおける参照装置でないと判定した場合、セッティング情報６００に基づいて遅延量を決定する。具体的には、遅延量算出部２１４は、セッティング情報６００の対象信号情報６０３に基づいて対象とするＲＴＰパケット化された映像信号を特定し、対応する処理時刻情報６０４に基づいて参照装置における表示時刻Ｔａを取得する。また、遅延量算出部２１４は、記憶部２１７から特定されたＲＴＰパケット化された映像信号に基づいて、表示部２０６で画像が表示された表示時刻Ｔｂを取得する。遅延量算出部２１４は、表示時刻Ｔａと表示時刻Ｔｂとの差を遅延量として決定する。
【００６４】
操作部２１５は、ユーザが表示装置２００の各機能ブロックに対する指示を入力するための操作手段である。
【００６５】
制御部２１６は、不図示のバスを介して表示装置２００に接続しその各機能ブロックの動作を制御するプロセッサである。制御部２１６は、Ｃｅｎｔｒａｌ  Ｐｒｏｃｅｓｓｉｎｇ  Ｕｎｉｔ（ＣＰＵ）である。制御部２１６は、記憶部２１７からプログラムやパラメータを読み出して実行することにより、表示装置２００の各機能ブロックの動作を制御する。また、制御部２１６は、表示装置２００の各機能ブロックの一部もしくはすべての動作を、記憶部２１７から読み出したプログラムを実行することによって実現してもよい。
【００６６】
記憶部２１７は、表示装置２００の動作のためのプログラム、パラメータ、およびデータを記憶する記憶媒体である。記憶部２１７は、例えば、不揮発性の記憶媒体である。なお、記憶部２１７は、揮発性の記憶媒体および不揮発性の記憶媒体を複合して用いるものであってもよい。
【００６７】
上述の撮像装置１００と表示装置２００ａ〜２００ｃとを含む送受信システムによれば、撮像装置１００から出力された映像信号を各表示装置２００ａ〜２００ｃで同期して表示することが可能となる。また、レポート情報５００の送受信と、それに応答するセッティング情報６００の送受信および遅延量制御は、所定の周期で実行される。これにより、各表示装置２００ａ〜２００ｃにおける処理時間が変動した場合においても、表示の同期を維持することが可能となる。
【００６８】
上述の送受信システムでは、参照装置として決定された表示装置がネットワークグループを離脱した等の何らかの理由で参照装置の処理時刻が変動した場合、ネットワークグループの他の表示装置の遅延量がその変動に対応するように調整される。表示装置２００の記録制御部２０７が記録媒体７００に映像信号の記録を実行している状態でかかる遅延量の調整があると、記録媒体７００に記録される映像信号のタイミングがずれる場合がある。第１の実施形態では、記録制御部２０７が、記録動作の実行可能な状態（記録動作モード）である場合に、表示装置２００が同期制御を実行しないようにする。これにより、記録動作が開始されたあとで、ネットワークグループの遅延量の調整が発生しても、記録される映像信号における映像や音声の乱れが発生することを抑制することが可能となる。
【００６９】
そこで、第１の実施形態の表示装置２００は、他の表示装置との表示同期中において、自機が記録制御の実行が可能な状態であると判定すると、所属している表示同期を行うネットワークグループから離脱する。
【００７０】
以下、表示装置２００で実行される、本発明の第１の実施形態の映像乱れ回避処理の手順を図７のフローチャートを用いて説明する。尚、本処理は、表示装置２００の全体を制御する図６の制御部２１６が、記憶部２１７に保持されるプログラムを読み出して実行することにより実現される。
【００７１】
映像乱れ回避処理は、表示装置２００が、少なくとも１つの他の表示装置を含むネットワークグループに所属して、表示処理の同期を実行している状態において、繰り変えし実行される。
【００７２】
ステップＳ９０１で、記録制御部２０７は、自機に記録機能が有るか否かを判断する。記録制御部２０７が自機に記録機能が有るか否かを判断する方法は、上述した方法を用いる。表示装置２００が、ネットワークグループに参加した後で記録媒体７００に接続された場合、「記録機能あり」と判定する。また、ネットワークグループに参加した後で、ユーザが操作部２１５を介して表示装置２００の記録制御機能を無効状態から有効状態とした場合に、「記録機能あり」と判定する。
【００７３】
ステップＳ９０１で、自機に記録機能がないと判定した場合（ステップＳ９０１でＮＯ）、そのまま本処理を終了する。
【００７４】
一方、自機に記録機能が有ると判断した場合（ステップＳ９０１でＹＥＳ）、ステップＳ９０２で、制御部２１６は、記録制御部２０７に対して、記録動作を禁止する状態に遷移させる（記録動作禁止状態に設定する）。ここで、記録動作禁止状態とは、記録動作の実行ができない状態、つまり、記録動作が停止し、かつ記録動作の開始が禁止された状態である。例えば、操作部２１５からのユーザによる記録媒体７００への映像信号の記録開始指示を受け付けない状態を指す。処理は、ステップＳ９０３に進む。
【００７５】
ステップＳ９０３で、セッティング取得部２１２は、映像乱れ回避処理の実行を開始した時点で、表示装置２００が所属しているネットワークグループを示す同期グループＩＤ（ＩＤａ）を取得する。
【００７６】
ステップＳ９０４で、制御部２１６は、同期グループＩＤとしてＥｍｐｔｙが記載されたレポート情報５００を、撮像装置１００に送信するようにレポート生成部２１１を制御する。同期グループＩＤをＥｍｐｔｙとすることにより、表示装置２００は、少なくとも現在所属しているネットワークグループから離脱することを撮像装置１００に示す。
【００７７】
ステップＳ９０５で、セッティング取得部２１２は、撮像装置１００の情報生成部１０５が設定したネットワークグループＩＤｂを示すセッティング情報６００を取得する。上述したように、同期グループＩＤとしてＥｍｐｔｙが記載されたレポート情報５００を受信した撮像装置１００は、当該レポート情報５００を送信した表示装置２００に対して任意のネットワークグループＩＤｂを設定する。そして、撮像装置１００は、表示装置２００にネットワークグループＩＤｂに対応するセッティング情報６００を送信する。
【００７８】
ステップＳ９０６で、制御部２１６は、取得したセッティング情報６００に含まれる同期グループＩＤが、ＩＤａから変更されたか否かを判定する。ステップＳ９０６でＮｏの場合、表示装置２００のネットワークグループＩＤａからの離脱が完了していないことを意味する。この場合、処理はステップＳ９０４に戻り、ネットワークグループＩＤｂがネットワークグループＩＤａと異なるグループになるまで、ステップＳ９０４〜Ｓ９０６の処理を繰り返す。
【００７９】
また、取得したセッティング情報６００に含まれる同期グループＩＤｂが、ＩＤａから変更されている場合、表示装置２００は、ネットワークグループＩＤａから離脱したことを意味する。処理は、ステップＳ９０７に進む。
【００８０】
上述のステップＳ９０３からステップＳ９０６でＹｅｓとなるまでの一連の処理は、ネットワークグループＩＤａからの離脱処理である。表示装置２００がネットワークグループＩＤａから離脱する処理は、上述の方法以外をとることも可能である。
【００８１】
ステップＳ９０７で、参照装置判定部２１３は、ネットワークグループＩＤｂにおいて、自機が参照装置であるか否かを判定する。参照装置判定部２１３は、ステップＳ９０５で受信したセッティング情報６００が、自機がステップＳ９０４で送信したレポート情報５００と同期グループＩＤを除いて同一であるかを判定する。受信したセッティング情報６００が、自機が送信したレポート情報５００と同一でない場合、自機がネットワークグループＩＤｂにおいて参照装置でないと判定する（ステップＳ９０７でＮｏ）。処理は、ステップＳ９０４に戻る。すなわち、再びネットワークグループから離脱し、自機が参照装置となるネットワークグループに参加するまで、ステップＳ９０４〜Ｓ９０７の処理を繰り返す。
【００８２】
受信したセッティング情報６００が、自機が送信したレポート情報５００と同一である場合、自機がネットワークグループＩＤｂにおいて参照装置であると判定する（ステップＳ９０７でＹｅｓ）。処理は、ステップＳ９０８に進む。
【００８３】
ステップＳ９０７の判断は、具体的には以下のように行われる。まず、参照装置判定部２１３が、受信したセッティング情報６００の図２（ｂ）に示す情報、及び自機が送信したレポート情報５００の図２（ａ）に示す情報を取得する。参照装置判定部２１３は、取得した図２（ａ），（ｂ）に示す情報が同期グループＩＤを除いて全て一致する場合に、表示装置２００は参照装置になったと判断する。自機が参照装置になることにより、参照装置となった他の表示装置の処理状態や接続状態が変更することによる遅延量の変動の影響を受けない。したがって、他機の状態変化により記録される映像信号の映像や音声の乱れが発生することを抑制することが可能となる。
【００８４】
ステップＳ９０８で、制御部２１６は、記録制御部２０７の記録禁止状態を解除する（記録禁止状態解除を設定する）。これにより、記録制御部２０７は、記録媒体７００へ映像信号を記録することが可能な記録可能状態に遷移する。
【００８５】
以上のステップで、映像乱れ回避処理が完了する。
【００８６】
尚、図７の映像乱れ回避処理は、表示装置２００がＩＰネットワーク４００に接続した際、または、ＩＰネットワーク４００に接続中の表示装置２００に外部機器が接続されたことを検出したときなどに開始される。図６に示す表示装置２００のように外部に記録媒体７００を接続する構成の場合、自機に記録機能が無い状態でＩＰネットワーク４００に接続されるからである。
【００８７】
また、図７の映像乱れ回避処理が実施された後、ＩＰネットワーク４００に表示装置２００が接続された状態で記録媒体７００が表示装置２００から外される場合がある。この場合は、記憶部２１７の情報を使って、ステップＳ９０５における変更前の同期グループＩＤに再設定して、元のネットワークグループに戻るようにしてもよい。
【００８８】
尚、記録機能がある場合に所属しているネットワークグループの同期制御に基づく処理時間の遅延量の制御から離脱できれば、図７で示した処理以外の方法をとることも可能である。例えば、ステップＳ９０１で記録機能有りと判定された場合、セッティング情報に基づく遅延量の調整を行わないよう、遅延量算出部２１４が遅延量を０に固定し、直接ステップＳ９０８の記録可能状態に遷移するようにしてもよい。
【００８９】
以上、第１の実施形態によれば、表示装置２００は、自機に記録機能が有ると判断した場合、記録制御部２０７による記録媒体７００への映像信号の記録制御が実行される前に所属しているネットワークグループを離脱する。具体的には、自機に記録機能が有ると判断した場合、まず、記録禁止状態に遷移する、その後、所属しているネットワークグループを離脱したことを確認した後、記録可能状態に遷移する。これにより、記録機能を用いて映像信号を記録する際に、映像や音声の乱れが生じないようにすることができる。
【００９０】
＜第２の実施形態＞
以下、第２の実施形態について説明する。尚、本実施形態において、第１の実施形態と同一の構成については同一の符号を付し、重複した説明は省略する。
【００９１】
第１の実施形態では、表示装置２００は、自機に記録機能が有ると判断した場合、自機の属するネットワークグループを他の表示装置のネットワークグループとは異なるネットワークグループとする。このため、表示装置２００は、他の表示装置とは表示タイミングがそろっている保証はなくなってしまう。
【００９２】
一方、表示装置２００に記録機能が有っても、その記録機能を用いた映像信号の記録の前後では、表示装置２００と他の表示装置と表示タイミングはそろっていてほしいという要求も考えられる。そのため、本実施形態では、記録制御命令に従った映像乱れ回避処理が行われる。
【００９３】
以下、図８のフローチャートを用いて、図６の表示装置２００で記録制御命令に従って実行される、本発明の第２の実施形態の映像乱れ回避処理を説明する。尚、図８のフローチャートのうち、図７のフローチャートと同一内容のステップについて同一の符号を付す。また、本処理も図７と同様、表示装置２００の全体を制御する図６の制御部２１６が、記憶部２１７に保持されるプログラムを読み出して実行することにより実現される。
【００９４】
まず、記録制御部２０７は、第１の実施形態と同様に、自機に記録機能が有るか否かを判断する（ステップＳ９０１）。ステップＳ９０１で、自機に記録機能が無いと判断した場合（ステップＳ９０１でＮＯ）、そのまま本処理を終了する。
【００９５】
一方、自機に記録機能が有ると判断した場合（ステップＳ９０１でＹＥＳ）、さらに制御部２１６が、記録機能を用いた記録開始トリガの要求があったと判断すると（ステップＳ１００１でＹＥＳ）、処理はステップＳ１００２に進む。ここで記録開始トリガの要求とは具体的には、表示装置２００の操作部２１５でのユーザからの記録開始指示や、表示装置２００に送信される記録媒体７００からの記録開始通知などを指す。この記録開始トリガの要求があるまでは、表示装置２００は、図３の映像表示同期処理を行ない、レポート情報５００とセッティング情報６００を利用して、他の表示装置と表示タイミングをそろえている。
【００９６】
ステップＳ１００２において、制御部２１６は、今まで使用していた撮像装置１００から送信されるセッティング情報６００、特にその時刻情報の利用を停止する。具体的には、制御部２１６は、参照装置判定部２１３や遅延量算出部２１４の機能を止める。また、遅延処理部２０４は遅延量算出部２１４が機能を止める前に算出した遅延量を保持し（第２の記憶手段）、その保持された遅延量に映像信号の表示時刻の遅延を固定する固定遅延動作モードに切り替える。
【００９７】
その後、記録制御部２０７は、記録機能を用いた映像信号の記録の開始、より具体的には、記録媒体７００に対して映像信号の記録を開始するよう指示を行う（ステップＳ１００３）。
【００９８】
その後、制御部２１６が記録機能を用いた記録停止トリガの要求があったと判断するまでは、記録制御部２０７は記録媒体７００での映像信号の記録を継続させる（ステップＳ１００４〜Ｓ１００６）。ここで、記録停止トリガの要求とは具体的には、表示装置２００の操作部２１５でのユーザからの記録終了指示や、表示装置２００に送信される記録媒体７００からの記録終了通知などを指す。
【００９９】
その後、記録停止トリガの要求があると（ステップＳ１００５でＹＥＳ）、記録制御部２０７は記録機能を用いた映像信号の記録の停止、より具体的には、記録媒体７００に対して映像信号の記録を停止するよう指示を行う（ステップＳ１００６）。その後、制御部２１６は撮像装置１００からのセッティング情報６００の利用を再開する（ステップＳ１００７）。具体的には、制御部２１６は、参照装置判定部２１３や遅延量算出部２１４の機能を再開させる。
【０１００】
以上のステップで、映像乱れ回避処理が完了する。
【０１０１】
以上、図８の映像乱れ回避処理によれば、記録媒体７００で映像信号を記録している間は表示装置２００において撮像装置１００から送信されるセッティング情報６００を利用した遅延量の制御はしない。このため、他の表示装置において、参照装置の変更などが発生したとしても、その影響による記録媒体７００で記録される映像信号の映像や音声の乱れを防止できる。
【０１０２】
尚、本実施形態では、図８の映像乱れ回避処理の動作中も、表示装置２００において、レポート情報５００をレポート生成部２１１が生成し、通信部２０１がＬＡＮケーブル３００を介して送信する。すなわち、表示装置２００は、本処理の動作中も撮像装置１００に対して他の表示装置と同一のネットワークグループに属していることを伝える。この際、図３の映像表示同期処理と同様、ＩＰネットワーク４００を介して撮像装置１００との通信が行われていることを考慮し、一定周期でレポート情報５００を表示装置２００において生成・送信するようにしてもよい。
【０１０３】
また、ステップＳ１００３の記録機能を用いた映像信号の記録の開始時点やステップＳ１００６の記録機能を用いた映像信号の記録の停止時点においても、レポート情報５００（動作情報）を表示装置２００において生成・送信してもよい。これにより、記録制御と連動させて、撮像装置１００に自機の状況をいち早く伝えることができる。
【０１０４】
また、ステップＳ１００２でセッティング情報６００の利用を停止してから所定時間が経過しても、ステップＳ１００７でその利用が再開しない場合がある。また、ステップＳ１００２でセッティング情報６００の利用を停止した後、セッティング情報６００の情報が大きく更新される場合がある。このような場合は、表示装置２００は、第１の実施形態と同様、表示装置２００から送信するレポート情報５００の同期グループＩＤを変更して、他の表示装置の属するネットワークグループから離脱するようにしてもよい。また、記録開始トリガの要求があったら、すぐに表示装置２００から送信するレポート情報５００の同期グループＩＤを変更して、他の表示装置の属するネットワークグループから離脱するようにしてもよい。このようなネットワークグループからの離脱があった場合、ステップＳ１００６の記録停止指示の後に、記憶部２１７の情報を使ってレポート情報の同期グループＩＤを変更前の同期グループＩＤに戻す。これにより、表示装置２００を元のネットワークグループに戻すことができる。
【０１０５】
以上、第２の実施形態によれば、表示装置２００は、自機に記録機能が有ると判断した場合、記録制御部２０７による記録媒体７００への映像信号の記録制御が実行される前に所属しているネットワークグループを離脱する。具体的には、自機に記録機能が有ると判断した場合、まず、記録開始トリガの要求があるか判断し、ある場合は、セッティング情報６００の利用を停止し、その後記録を開始する。これにより、記録機能を有する表示装置がその記録機能を用いて記録する映像信号に映像や音声の乱れが生ずることを防ぐことができる。さらに、少なくともその記録機能を用いた記録をしていない時は、他の表示装置との映像信号の表示タイミングをそろえておくことが可能となる。
【０１０６】
以上、本発明をその好適な実施形態に基づいて詳述してきたが、本発明はこれら特定の実施形態に限られるものではなく、この発明の要旨を逸脱しない範囲の様々な形態も本発明に含まれる。第１の実施形態と、第２の実施形態を部分的に組み合わせた運用も可能である。ユーザにメニューなどの表示から機能を選択させて制御できるような構成にしてもよい。
【０１０７】
［その他の実施例］
本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【０１０８】
この場合、記憶媒体から読み出されたプログラムコード自体が前述した実施形態の機能を実現することになり、プログラムコード自体及びそのプログラムコードを記憶した記憶媒体は本発明を構成することになる。
【０１０９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１１０】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。
【０１１１】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【０１１２】
１００  撮像装置
２００  表示装置
２０４  遅延処理部
２０６  表示部
２０７  記録制御部
２１４  遅延量算出部
２１１  レポート生成部
２１５  操作部
２１７  記憶部
４００  ＩＰネットワーク
７００  記録媒体
【図１】
2019201243.tif 000003
【図２】
2019201243.tif 000004
【図３】
2019201243.tif 000005
【図４】
2019201243.tif 000006
【図５】
2019201243.tif 000007
【図６】
2019201243.tif 000008
【図７】
2019201243.tif 000009
【図８】
2019201243.tif 000010